(57)【要約】【課題】洗濯物をベランダの外気で乾燥させる場合において、常に最良の状態で洗濯物を干すことができ、安心して外出することができる洗濯物の乾燥方式を提供する。【解決手段】本発明はベランダに干したある洗濯物を降雨から守る方式に関する発明であり、ベランダ上に覆い（屋根、前面、側面）を有し、ベランダ近辺の降雨状況や事前の天候予測および急な降雨時に際しては、前記覆いを閉じて洗濯物を降雨から守る機能とその後の天候回復時には前記覆いを開いて洗濯物を外気で乾かす機能およびベランダに監視カメラを設置して風雨の状態をユーザ端末から確認して覆いの状態を修正する機能を有する。【選択図】　　　図１
2004113379.tif 000002
【特許請求の範囲】
【請求項１】
ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態を観測する観測装置と、多段階に分けて記憶された風雨の程度とそれに対処するための前記覆いの状態情報とを記憶装置から読み込み前記観測装置から得た風雨の状態に一致する風雨の程度を検出するとその前記覆いの状態情報に従って前記覆い開閉装置にベランダの覆いの開閉の指示をする処理装置と、を備えることを特徴とする洗濯物の乾燥方式。
【請求項２】
ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態の予測をする天気予測システムと、多段階に分けて記憶された風雨の程度とそれに対処するための前記覆いの状態情報とを記憶装置から読み込み前記天気予測システムから得た風雨の状態に一致する風雨の程度を検出するとその前記覆いの状態情報に従って前記覆い開閉装置にベランダの覆いの開閉の指示をする処理装置と、前記天気予測システムと前記処理装置を接続するインターネットと、を備えることを特徴とする洗濯物の乾燥方式。
【請求項３】
前記覆いは、ベランダの屋根部分と、ベランダの前面部分とベランダの左右の側面部分とからなり、前記覆い開閉制御装置は、屋根部分と前面部分と左右の側面部分とをそれぞれ独立して開閉することを特徴とする請求項１または２いずれか１項記載の洗濯物の乾燥方式。
【請求項４】
前記記憶装置に記憶される前記風雨の程度は、風向と風力と１時間当たりの雨量との組み合わせからなり、前記記憶装置に記憶される前記覆いの状態は、ベランダの屋根部分の覆いと前面部分の覆いと左右側面部分の覆いとその覆いの割合との組み合わせからなることを特徴とする請求項１乃至３いずれか１項記載の洗濯物の乾燥方式。
【請求項５】
前記処理装置は、降雨の予測確率が５０％を超えると降雨状態とし、降雨の予測確率が５０％以下を無降雨状態とし、降雨の確率が５０％を超える連続した時間数で予測降雨量を割った値を１時間当たりの雨量とみなすことを特徴とする請求項２または４いずれか１項記載の洗濯物の乾燥方式。
【請求項６】
前記処理装置は、無降雨から降雨状態とみなす時刻に前記覆いを閉じ、降雨から無降雨状態とみなす時刻に前記覆いを開ける指示を行うことを特徴とする請求項５記載の洗濯物の乾燥方式。
【請求項７】
前記処理装置は、無降雨から降雨状態とみなす時刻より指定された時間分前の時刻に前記覆いを閉じ、降雨から無降雨状態とみなす時刻より指定された時間分後の時刻に前記覆いを開けることを特徴とする請求項５記載の洗濯物の乾燥方式。
【請求項８】
ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態を観測する観測装置と、多段階に分けて記憶された風雨の程度とそれに対処するための前記覆いの状態情報とを記憶装置から読み込み前記観測装置から得た風雨の状態に一致する風雨の程度を検出するとその前記覆いの状態情報に従って前記覆い開閉装置にベランダの覆いの開閉の指示をするとともに利用者の携帯するユーザ端末にも覆いの開閉の通知を行う処理装置と、前記処理装置と前記ユーザ端末とを接続するインターネットと、を備え、
前記覆いの開閉の通知を受けた前記ユーザ端末は覆いの開閉の通知から状況に応じてその覆いの開閉の修正を前記処理装置に指示することを特徴とする洗濯物の乾燥方式。
【発明の詳細な説明】
【０００１】
【発明の属する技術分野】
本発明は洗濯物のベランダでの乾燥に関し、特にベランダに設置した降雨計や風向風速計による観測値または天気予報に基づいてベランダに設置した覆いの開閉を制御し洗濯物を風雨から守る洗濯物の乾燥方式に関する。
【０００２】
【従来の技術】
共稼ぎの新婚カップルや独身者の住居などでは日中家人が皆仕事のため外出することが多く、洗濯物をベランダや物干し等の戸外で外気にさらして乾燥させる場合、風雨等の天候が気になることがある。
【０００３】
そのため、乾燥機によって人工的に乾燥させる場合もあるが、乾燥機の購入費用、電気代、ガス代の維持費用の問題があるとともに、屋外で干す方が直接日光に触れる為洗濯物の乾き具合が良く、且つ乾燥時の洗濯物の着心地も良いし健康にも良いもののように思われる。
【０００４】
戸外で洗濯物を乾燥させる場合の技術に関連して、各種センサーを設置して物干しの雨や風を検出すると電動カーテンによる物干しの開閉を行い洗濯物のガードを行う技術が開示されている（例えば、特許文献１参照。）。
【０００５】
さらにベランダでの風雨の状態の遠隔地からの確認を行う技術に関連して、監視カメラによって捉えた遠隔地のガス漏れや火災等を表示装置で観測して対処する場合の諸問題を解決する技術も開示されている（例えば、特許文献２参照。）。
【０００６】
【特許文献１】
特開２００１−３１４６９６（第２−７頁、図１）
【特許文献２】
特開２０００−１５５８８４（第２−３頁、図１）
【０００７】
【発明が解決しようとする課題】
降雨に備え、ベランダに屋根を付ければある程度問題は回避されるが、屋根だけでは、風の強い場合には洗濯物が飛んでいってしまったり、さらに雨降りでは屋根だけの覆いでは不十分で洗濯物が濡れてしまいそれほど効果を期待できないこともある。
【０００８】
本発明では、洗濯物をベランダの外気で乾燥させる場合において、常に最良の状態で洗濯物を干すことができ、安心して外出することができる洗濯物の乾燥方式を提供するものである。
【０００９】
【課題を解決するための手段】
本発明の第１の洗濯物の乾燥方式は、ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態を観測する観測装置と、多段階に分けて記憶された風雨の程度とそれに対処するための前記覆いの状態情報とを記憶装置から読み込み前記観測装置から得た風雨の状態に一致する風雨の程度を検出するとその前記覆いの状態情報に従って前記覆い開閉装置にベランダの覆いの開閉の指示をする処理装置と、を備える。
【００１０】
本発明の第２の洗濯物の乾燥方式は、ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態の予測をする天気予測システムと、多段階に分けて記憶された風雨の程度とそれに対処するための前記覆いの状態情報とを記憶装置から読み込み前記天気予測システムから得た風雨の状態に一致する風雨の程度を検出するとその前記覆いの状態情報に従って前記覆い開閉装置にベランダの覆いの開閉の指示をする処理装置と、前記天気予測システムと前記処理装置を接続するインターネットと、を備える。
【００１１】
本発明の第３の洗濯物の乾燥方式は、第１または第２の発明において、前記覆いは、ベランダの屋根部分と、ベランダの前面部分とベランダの左右の側面部分とからなり、前記覆い開閉制御装置は、屋根部分と前面部分と左右の側面部分とをそれぞれ独立して開閉することを備える。
【００１２】
本発明の第４の洗濯物の乾燥方式は、第１、２または第３の発明において、前記記憶装置に記憶される前記風雨の程度は、風向と風力と１時間当たりの雨量との組み合わせからなり、前記記憶装置に記憶される前記覆いの状態は、ベランダの屋根部分の覆いと前面部分の覆いと左右側面部分の覆いとその覆いの割合との組み合わせからなる。
【００１３】
本発明の第５の洗濯物の乾燥方式は、第２または第４の発明において、前記処理装置は、降雨の予測確率が５０％を超えると降雨状態とし、降雨の予測確率が５０％以下を無降雨状態とし、降雨の確率が５０％を超える連続した時間数で予測降雨量を割った値を１時間当たりの雨量とみなすことを備える。
【００１４】
本発明の第６の洗濯物の乾燥方式は、第５の発明において、前記処理装置は、無降雨から降雨状態とみなす時刻に前記覆いを閉じ、降雨から無降雨状態とみなす時刻に前記覆いを開ける指示を行うことを備える。
【００１５】
本発明の第７の洗濯物の乾燥方式は、第５の発明において、前記処理装置は、無降雨から降雨状態とみなす時刻より指定された時間分前の時刻に前記覆いを閉じ、降雨から無降雨状態とみなす時刻より指定された時間分後の時刻に前記覆いを開けることを備える。
【００１６】
本発明の第８の洗濯物の乾燥方式は、ベランダの洗濯物に対しベランダに取り付けられた覆いによって風雨の程度に見合ったガードを行う洗濯物の乾燥方式において、
前記覆いの開閉の制御を行う覆い開閉制御装置と、風雨の状態を観測する観測装置と、多段階に分けて記憶された風雨の程度とそれに対処するための前記覆いの状態情報とを記憶装置から読み込み前記観測装置から得た風雨の状態に一致する風雨の程度を検出するとその前記覆いの状態情報に従って前記覆い開閉装置にベランダの覆いの開閉の指示をするとともに利用者の携帯するユーザ端末にも覆いの開閉の通知を行う処理装置と、前記処理装置と前記ユーザ端末とを接続するインターネットと、を備え、
前記覆いの開閉の通知を受けた前記ユーザ端末は覆いの開閉の通知から状況に応じてその覆いの開閉の修正を前記処理装置に指示することを備える。
【００１７】
【発明の実施の形態】
次に、本発明の実施の形態について図面を参照して詳細に説明する。
【００１８】
本発明の実施の形態の構成は、図１に示す通り、ユーザ端末１０と、制御装置２０と、天気予測システム３０と、から構成されており、各々インターネット４０に接続されている。
【００１９】
ユーザ端末１０は、利用者が携帯するＰＤＡ（Ｐｅｒｓｏｎａｌ　Ｄｉｇｉｔａｌ　Ａｓｓｉｓｔａｎｃｅ：携帯情報端末）やノート型パソコンを含むコンピュータ、携帯電話、またカーナビゲーションシステムを含むものである。
【００２０】
制御装置２０は、オペレーティングシステム（ＯＳ）を実装したコンピュータである処理装置２０１と、ベランダの近辺に設置され処理装置２０１と無線または通信ケーブルで接続し処理装置２０１からの指示に従いベランダの覆いの開閉を制御する覆い開閉制御装置２０２と、ベランダの屋根なし部分に設置され降雨量を計測するとともに降雨の降り始めと降り終わりを検出する降雨検出機能付の降水計２０３と、ベランダに設置され風の強さを測定する風向風力計２０４と、ベランダの天候の状態をユーザ端末１０から観察するための監視カメラ２０５と、から構成されている。尚、降水計２０３は例えば１時間当たりの雨量の測定が可能であり、風向風力計２０４は１０分間の平均風向と平均風力が測定可能なものを想定する。
【００２１】
また、処理装置２０１では、雨量や風速、予測天気情報を元に予め設定された環境情報を参照して覆いの開閉を覆い開閉制御装置２０２に対して指示する覆い制御手段２０１０がプログラムとして動作する。
【００２２】
また、ユーザ端末１０では、インターネット４０を介して覆い制御手段２０１０と通信し、覆い制御手段２０１０に利用者による覆いの状態の指示を行う覆い指示手段１００がプログラムとして動作する。
【００２３】
降水計２０３と風向風力計２０４と監視カメラ２０５は、それぞれ処理装置２０１と無線または通信ケーブルで接続し、測定した結果を、また撮影した画像を処理装置２０１に送信する。
【００２４】
ベランダには洗濯さおや洗濯物を干すための各種ハンガーが設置されている。
【００２５】
ベランダの近辺に設置される覆い開閉制御装置２０２によりベランダの屋根部分、前面部分、左右の側面部分の覆いの開閉が制御される。ベランダに設置された開閉自在な覆いは、屋根のみ、前面のみ、側面のみの独立した開閉と各面を組み合わせた自由な開閉が行える。覆いは、例えば、車庫等で使用されるシャッター方式を使用することができる。この場合、ベランダの屋根部分、前面部分、左右２箇所の側面部分がそれぞれ独立したシャッター構造を有し、これらによってベランダに設置された洗濯物全体を覆うことができるようになっている。
【００２６】
外部機関の運営する天気予測システム３０は、各地域の最新の気象予測情報を蓄積するデータベースを有するインターネット４０に接続したコンピュータシステムであり、気象情報、アメダス降水量等をリアルタイムに蓄積するとともに処理装置２０１からの問い合わせに対して最新の予測情報を送信する。
【００２７】
本発明は、例えば降雨計による降雨の検出や天気予測システム３０による近い時点での降雨の予測を認知すると、その認知の状況と予め利用者によって設定された環境情報の基準値に基づき自動的にベランダに必要な覆いを適用する自動モードと、認知した内容をその時点で電子メールによってユーザ端末１０に通知し利用者はその通知を受けるとユーザ端末１０からの監視カメラ２０５による画像を元に適用する覆いの状態を指示する非自動モードとを有している。
【００２８】
また、降雨計２０３や風向風力計２０４によって観測した内容に従い覆いを制御する観測モードと、降雨計２０３や風向風力計２０４を使用せず天気予測システム３０による予想を元にした予測モードとがある。
【００２９】
以上説明した自動モード、非自動モードと観測モード、予測モードを組み合わせた運用が可能となっている。
【００３０】
さらにこれらとは別に、どのようなモードが設定されていても、任意の時点でユーザ端末１０から処理装置２０１の覆い制御手段２０１０を呼びだし、監視カメラ２０５からの画像を元に、または監視カメラ２０５の画像を使用せずにベランダに適用する覆いの状態の指示をすることも可能となっている。
【００３１】
次に本発明の実施の形態の動作を説明する。
最初に非自動モードを適用する場合の機能の概略を説明すると以下のようになる。
【００３２】
１．洗濯物をベランダに干す
↓
２．外出する（機能を開始する）
↓
３．次の機能が実施される
2004113379.tif 000003
【００３３】
2004113379.tif 000004
【００３４】
2004113379.tif 000005
【００３５】
2004113379.tif 000006
【００３６】
2004113379.tif 000007
【００３７】
2004113379.tif 000008
【００３８】
2004113379.tif 000009
【００３９】
↓
帰宅する（機能の終了する）
次に、本発明の実施の形態の動作について図２から図６の図面を参照して詳細に説明する。
【００４０】
利用者は、図４の（ａ）に示す設定画面において、環境情報の設定を行う。このとき、処理装置２０１に接続された図示しない表示装置とキーボード等の入力装置を使用する。また、覆い開閉制御装置２０２、監視カメラ２０５の操作は、図４の（ｂ）の操作画面において行うものとする。環境情報として以下のような内容を含んでいる。
【００４１】
・地域気象情報（天気予測システム３０から天気予想情報を取得する際に使用する）
天気予測システムへのアクセス時に天気予測システムに通知する地域名とアクセスする時間間隔（例えば１時間おき等）を設定する。
【００４２】
・自動通報先情報
ベランダで降雨等が発生した時、予め設定した基準に従い利用者の携帯するユーザ端末１０に通報を行いその指示に従い覆いの開閉制御をするがその時の通知先の電子メールアドレスや画像送信時のＩＰ（ＩｎｔｅｒｎｅｔＰｒｏｔｏｃｏｌ）アドレス等を指定する。
【００４３】
この指定をした場合は非自動モードとなり、行わなかった場合は自動モードとなる。
【００４４】
・自動モード、非自動モードにおける利用者に通報する際の基準、または利用者に通知をせず、自動で覆いの開閉操作する際の風速（Ｘメートル）、降雨量（Ｙミリ）／予想降雨量レベルの設定をする。
【００４５】
基準Ａ：降雨が無く、風速がＸメートル以下の場合は、全ての覆いを開ける。
【００４６】
基準Ｂ：降雨があり風速がＸメートルを越える場合は、ベランダの全ての覆いを使用してベランダを覆う。
【００４７】
基準Ｃ：１時間の降雨量がＹミリを越え、風速がＸメートル以下の場合は、上部と前面のみの覆いを使用する。
【００４８】
基準Ｄ：風速がＸメートル以下の弱風で１時間の降雨量がＹミリ以下の小雨の場合には、屋根の上部のみの覆いを使用する。
【００４９】
基準Ｅ：降雨がなく、風速がＸメートルを越える場合は、前面と両側面の覆いを使用する。
【００５０】
基準Ｆ：監視カメラ２０５を使用して、リモート操作を行い、基準Ａから基準Ｅの指定を行う。非自動モードの場合に指定することになる。
【００５１】
基準Ｇ：天気予測システム３０を利用した天気予報を使用するか、降雨計２０３等による観測値を使用するかを指定する。天気予報を使用する場合は、降雨計２０３や風向風力計２０４は不要となる。
【００５２】
以上の基準Ａから基準Ｅについては、同様の内容をさらに天気予測システム３０の予想をもとにした予測モードの基準として設定することが可能である。例えば、降雨等の予想がされている場合は、全体の降雨量を降雨の予想時間数で割って１時間当たりの予想降雨量を算出する。このとき降雨が５０％を越える確率で予想される時間帯を降雨状態とし、５０％以下であると無降雨状態と判断するようにしてもよい。そして予想される風速と組み合わせて上記の基準Ａから基準Ｅのうちから該当する基準を選択する。
【００５３】
また、例えば基準Ｅを適用している状況で仮に雨が降ってきた場合、現時点で５０％を越える確率で雨が降るとの予想を得た場合は、覆い制御手段２０１０は、それまでの覆いの設定を基準Ｅから基準Ｂに切り替える動作を実施することになる。
【００５４】
尚、環境情報の設定では以上のように適用する基準以外に風速のＸ値、降雨量のＹ値、を設定するようになっている。さらに降雨量、風速、風向の状態についても多段階に分け、それに対応して覆いを適用する部分や覆いの覆う状態（例えば、前面の覆いの半分だけ覆う等の覆いの割合、風向によって右側面部分のみ覆う等）を多段階に分けた基準の設定も可能であるが、以上説明した内容から容易に推察できるものであるため詳細の説明は省略する。
【００５５】
このようにして設定された環境情報は、処理装置２０１に接続された図示しない磁気ディスク記憶装置等に記憶される。
【００５６】
次に、環境設定情報として、非自動モードで観測モードを使用する場合について説明を行う。
【００５７】
図２および図５のフローチャートを元に説明する。降雨計２０３によって降雨の開始または設定された降水量の変化を検出したり、天候回復を検出した場合、設定された基準に基づき、インターネット４０を経由して、ユーザ端末１０に自動通報し、基準値で設定した降雨量レベルに応じて覆い開閉制御装置２０２を操作する例である。
【００５８】
利用者は、本日は快晴で無風であるためベランダに洗濯物を干して外出しようとしたとする。このとき、利用者は、処理装置２０１のキーボードや表示装置を使用して覆い制御手段２０１０を起動する。利用者は、起動した覆い制御手段２０１０に天候のチェックの開始とベランダの覆いの全開を指示し、ユーザ端末１０を携帯して外出する。
【００５９】
覆い制御手段２０１０は、環境情報から非自動モードで且つ観測モードであることを認識する。観測モードのため、覆い制御手段２０１０は、降水計２０３と風向風力計２０４へ観測値を要求し、降水計２０３と風向風力計２０４からの観測値を受信する。
【００６０】
降水計２０３や風向風力計２０４は常に観測状態にあるものとし、降水計２０３は、例えば１時間前からの平均降水量を覆い制御手段２０１０に通知する。また、風向風力計２０４は、例えば１０分前からの平均した風向きと風速を覆い制御手段２０１０に通知する。
【００６１】
覆い制御手段２０１０は、環境情報を磁気ディスク装置から読み出し通知された値と基準値として指定されている降水量、風速とを比較し、観測値が基準値の値を超えていないかチェックする。この場合は、天気もよく無風のため観測値の方が基準値より値が低いため、例えば基準値Ａが選択されるため、覆いは全開状態と判断し、全開状態で無い場合は、覆い開閉制御装置２０２に全てのベランダの覆いを全開状態にするように通知する。覆い開閉制御装置２０２はこの指示に従い全ての覆いを全開する。
【００６２】
このようにして覆い制御手段２０１０による降水計２０３からの１時間ごとの降雨量、風向風力計２０４からの１０分ごとの風向と風力の取得が継続され、取得した都度、基準値との比較が行われることになる。
【００６３】
この日お昼過ぎになって、雨が降り始め、降水計２０３が降雨を検出した場合（ＳｔｅｐＡ１）、降水計２０３は覆い制御手段２０１０に降雨の検出を通知する。覆い制御手段２０１０は、環境情報から通知先の電子メールアドレスを取り出し降雨の発生したことと、適用する基準値の内容とからなる電子メールをユーザ端末１０にインターネット４０を経由して送信する（ＳｔｅｐＡ２）。
【００６４】
処理装置２０１の覆い制御手段２０１０は、雨が降り始めたが風が弱い場合に適用する基準値を環境情報から選択し、電子メールによる自動通報する際に、例えばその基準値で指定された屋根部分の覆いを覆い開閉制御手段２０２に指示する。覆い開閉制御装置２０２は、屋根に対する覆いを実行する（ＳｔｅｐＡ３）。
【００６５】
利用者は降雨の通知を電子メールによって受信すると、ユーザ端末１０に覆い指示手段１００を立ち上げる。覆い指示手段１００は、監視カメラ２０５からの画像の送信を処理装置２０１の覆い制御手段２０１０に指示する。続いて覆い制御手段２０１０は、監視カメラ２０５に対し画像の送信を指示する。監視カメラ２０５はベランダの風雨の状態を撮像しこれを覆い制御手段２０１０に送信するので覆い制御手段２０１０は、これをユーザ端末１０に送信する。
【００６６】
利用者はこの監視カメラ２０５からの画像を見て屋根だけの覆いで十分かを確認する。画像の状態から屋根だけの覆いでは不十分と判断した場合は、覆い指示手段１００に前面または側面の覆いの追加して適用する指示をするので、覆い指示手段１００はこれを覆い制御手段２０１０に通知し指示された覆いが追加されることになる。また、降雨の状態がそれほど激しい状態で無いような場合には、例えば逆に屋根の覆いを解除するような指示をすることも可能である（ＳｔｅｐＡ４）。
【００６７】
降雨が終わり天候が回復した場合には、降雨計２０３はそれを検知して同様に覆い制御手段２０１０に通知する（ＳｔｅｐＡ５）。降雨の終了の通知を受けた覆い制御手段２０１０は、環境情報の基準値を参照して降雨が無く風も無い場合の基準値を参照して例えば屋根の覆いを解除する旨をユーザ端末１０に自動通報し（ＳｔｅｐＡ６）、自動的に覆いを開く（ＳｔｅｐＡ７）。
【００６８】
利用者は、前述した場合と同様に監視カメラ２０５からの画像をみて降雨の終了を確認し、屋根の覆いの解除の妥当性をチェックする。もし不都合があれば再度必要な覆いの指示をユーザ端末１０から実行する（ＳｔｅｐＡ８）。
【００６９】
利用者は帰宅すると、ベランダの洗濯物を取り込み、処理装置２０１の覆い制御手段２０１０を終了させる。
【００７０】
以上、非自動モードで観測モードの場合の説明をしたが、自動モードで観測モードの場合は、覆い制御手段２０１０は、ユーザ端末１０への通知を行わずに発生した風雨の状況に見合う基準を自動的に適用してベランダの覆いやその解除を行うことになる。
【００７１】
次に図３および図６のフローチャートを使用し、非自動モードで予測モードの場合について説明する。覆い制御手段２０１０は起動が行われると環境情報を参照して非自動モードで且つ予測モードであることを確認する。
【００７２】
予測モードの指定があるため、覆い制御手段２０１０は、インターネット４０を経由して天気予測システム３０にアクセスし（ＳｔｅｐＢ１）、環境情報で指定された地域を指定してその地域についての天気予報情報を取得する（ＳｔｅｐＢ２）。覆い制御手段２０１０はこの処理を環境情報で指定された時間間隔で繰り返し実行し最新の天気予報で前回取得した情報を更新する。
【００７３】
覆い制御手段２０１０は、天気予測システム３０から取得した天気予報情報が例えば現時点の雨の確率が５０％を越える予測となっている場合には、現在降雨状態と判断し基準値と比較して合致するものを求める。このとき降雨の確率が５０％を越える総計時間数で予測降雨量を割り、１時間当たりの平均降雨量も併せて求め基準値との比較に使用する。決定した基準値と天気予報情報を電子メールでユーザ端末１０へ自動通報し（ＳｔｅｐＢ３）、基準値に従った覆い操作を実行する（ＳｔｅｐＢ４）。
【００７４】
利用者はこの電子メールを受けると前述したように監視カメラ２０５によるベランダの状態を確認し、必要な覆いの設定を覆い制御手段２０１０に通知し、覆いの状態を変更することができる（ＳｔｅｐＢ５）。
【００７５】
覆い制御手段２０１０は、降雨予想が解除または降雨後天候が回復する予想を天気予測システム３０から得ると（ＳｔｅｐＢ６）、ユーザ端末１０に自動通報し（ＳｔｅｐＢ７）、自動的に覆いを開く（ステップＢ８）、または監視カメラ２０５を使用して風雨の状態を確認し覆いを開閉の指示を行う（ステップＢ９）。
【００７６】
但し、降雨予想時刻になる前に降り始める場合や降雨の終了する時刻になっても振り終わらない場合を想定して、降雨状態の予想の場合は早めに覆いを閉じ、降雨状態から無降雨状態への予想の場合は遅めに覆いを開けるようにしてそれに合わせてユーザ端末１０に通知するようにしても良い。この早め、遅めの時間数もそれぞれ環境情報として設定することができる。
【００７７】
以上、非自動モードで予測モードの説明をしたが、自動モードで予測モードの場合には、覆い制御手段２０１０は、ユーザ端末１０との通信は行わず、天気予報の情報に従って覆いの開閉を自動的に実行する。
【００７８】
【発明の効果】
本発明の効果は、洗濯物を最適の状態で干すことができるということである。ベランダの覆い装置の操作により、突然の降雨から洗濯物を守ることができ、且つ降雨の状態でない場合は、外気で洗濯物を乾かすことが可能となる。
【００７９】
更に、自動通報機能により、リモートからも洗濯物、ベランダの状況を監視できるということも可能となり、常に天候を気にする必要がなくなる。
【図面の簡単な説明】
【図１】本発明の実施の形態の構成を説明するブロック図である。
【図２】本発明の実施の形態の天気状態の観測値とそれを基にした利用者への通報処理を説明する模式図である。
【図３】本発明の実施の形態の天気状態の予測値とそれを基にした利用者への通報処理を説明する模式図である。
【図４】本発明の実施の形態の環境情報設定画面の説明図である。
【図５】本発明の実施の形態の動作を説明するフローチャートである。
【図６】本発明の実施の形態の動作を説明するフローチャートである。
【符号の説明】
１０　　ユーザ端末
１００　　覆い指示手段
２０　　制御装置
２０１　　処理装置
２０１０　　覆い制御手段
２０２　　覆い開閉制御装置
２０３　　降水計
２０４　　風向風力計
２０５　　監視カメラ
３０　　天気予測システム
４０　　インターネット
【図１】
2004113379.tif 000010
【図２】
2004113379.tif 000011
【図３】
2004113379.tif 000012
【図４】
2004113379.tif 000013
【図５】
2004113379.tif 000014
【図６】
2004113379.tif 000015